(57)【特許請求の範囲】
【請求項１】
搬送路を搬送されるシートに画像を記録する記録部と、
上記搬送路を搬送されるシートにそれぞれが当接するように、上記シートの搬送向きと直交する幅方向に間隔を空けて配置された複数の当接部、及び隣り合う上記当接部同士を連結する連結部を有する当接部材と、を備え、
上記連結部は、隣り合う上記当接部の間に位置する孔を有しており、上記当接部が上記シートに当接することによって上記幅方向を軸線として回転するように捻れる画像記録装置。
【請求項２】
上記連結部は、上記搬送向きに間隔をあけて設けられ、上記幅方向に延びる複数の繋ぎ部を有し、
上記孔は、上記繋ぎ部によって区画されており、上記幅方向に沿って延びる長孔である請求項１に記載の画像記録装置。
【請求項３】
上記当接部材は、上記幅方向に沿って複数設けられており、
いずれか１つの当接部材は、他の当接部材よりも上記当接部の個数が多く、かつ、上記連結部における上記孔の上記幅方向に沿った長さが、他の当接部材における上記孔の上記幅方向に沿った長さよりも長い請求項１又は２に記載の画像記録装置。
【請求項４】
上記当接部材は、上記搬送路における幅方向の中央部と両側の各側部とにそれぞれ設けられており、
上記中央部の当接部材における上記孔の上記幅方向に沿った長さは、上記両側の各側部の当接部材における上記孔の上記幅方向に沿った長さよりも長い請求項３に記載の画像記録装置。
【請求項５】
搬送路を搬送されるシートに画像を記録する記録部と、
上記搬送路を搬送されるシートにそれぞれが当接するように、上記シートの搬送向きと直交する幅方向に間隔を空けて配置された複数の当接部、及び隣り合う上記当接部同士を連結する連結部を有する当接部材と、を備え、
上記連結部は、平板状に構成されており、幅方向の中央部における搬送向きの長さが他の部分よりも短くなっており、上記当接部が上記シートに当接することによって上記幅方向を軸線として回転するように捻れる画像記録装置。
【請求項６】
搬送路を搬送されるシートに画像を記録する記録部と、
上記搬送路を搬送されるシートにそれぞれが当接するように、上記シートの搬送向きと直交する幅方向に間隔を空けて配置された複数の当接部、及び隣り合う上記当接部同士を連結する連結部を有する当接部材と、を備え、
上記連結部は、幅方向の中央部が搬送向きまたは反対向きに突出するように屈曲された１本の繋ぎ部によって構成されており、上記当接部が上記シートに当接することによって上記幅方向を軸線として回転するように捻れる画像記録装置。
【請求項７】
搬送路を搬送されるシートに画像を記録する記録部と、
上記搬送路を搬送されるシートにそれぞれが当接するように、上記シートの搬送向きと直交する幅方向に間隔を空けて配置された複数の当接部、及び隣り合う上記当接部同士を連結する連結部を有する当接部材と、を備え、
上記連結部は、平板状に構成された繋ぎ部を有し、当該繋ぎ部における幅方向の中央部の厚さが他の部分よりも薄くなっており、上記当接部が上記シートに当接することによって上記幅方向を軸線として回転するように捻れる画像記録装置。
【請求項８】
搬送路を搬送されるシートに画像を記録する記録部と、
上記搬送路を搬送されるシートにそれぞれが当接するように、上記シートの搬送向きと直交する幅方向に間隔を空けて配置された複数の当接部、及び隣り合う上記当接部同士を連結する連結部を有する当接部材と、
上記当接部材を支持する支持部材と、を備え、
上記連結部は、上記当接部が上記シートに当接することによって上記幅方向を軸線として回転するように捻れるものであり、
上記支持部材は、上記記録部を上記幅方向に移動可能に支持するものである画像記録装置。
【請求項９】
搬送路を搬送されるシートに画像を記録する記録部と、
上記搬送路を搬送されるシートにそれぞれが当接するように、上記シートの搬送向きと直交する幅方向に間隔を空けて配置された複数の当接部、及び隣り合う上記当接部同士を連結する連結部を有する当接部材と、を備え、
上記連結部は、上記当接部が上記シートに当接することによって上記幅方向を軸線として回転するように捻れるものであり、
上記当接部材は、合成樹脂により一体に成形されたものである画像記録装置。
【請求項１０】
上記連結部は、１本の繋ぎ部によって構成されており、
上記繋ぎ部は、幅方向に沿って延びている請求項１、２、８、９のいずれかに記載の画像記録装置。
【請求項１１】
上記当接部材を支持する支持部材をさらに備え、
上記当接部材は、上記当接部に対応して上記幅方向に間隔を空けて設けられた複数の係合部を有し、
上記各係合部が上記支持部材と当接して係合しており、
上記連結部は、隣り合う上記係合部を連結している請求項１から１０のいずれかに記載の画像記録装置。
【請求項１２】
上記連結部と上記支持部材とが間隙を有している請求項１１に記載の画像記録装置。
【請求項１３】
上記連結部は、上記搬送向きに沿った長さが、上記係合部の上記搬送向きに沿った長さよりも短い部分を有する請求項１１又は１２に記載の画像記録装置。
【請求項１４】
上記記録部は、ノズルからインク滴を吐出することによってシートに画像を記録するものである請求項１から１３のいずれかに記載の画像記録装置。
【請求項１５】
上記複数の当接部は、上記ノズルよりも上記搬送向きの上流側に位置している請求項１４に記載の画像記録装置。
【発明の詳細な説明】
【技術分野】
【０００１】
本発明は、画像が記録されるシートを所望の湾曲状態とすることができる画像記録装置に関する。
【背景技術】
【０００２】
従来より、記録部に設けられたノズルから、記録用紙等のシートにインク滴を吐出して画像を記録するインクジェット記録装置が知られている。インクジェット記録装置では、記録部と対向する位置に、シートを支持するプラテン等の支持部材が設けられている。支持部材上にシートが搬送されると、当該シートが記録部と対向した状態で支持部材上に支持され、そのシートに記録部からインク滴が選択的に吐出されることによってシートに画像が形成される。
【０００３】
前述されたインクジェット記録装置では、インクが付着したシートの一部分が膨潤して支持部材から浮き上がる現象（コックリング）が発生することがある。コックリングが生じると、支持部材から浮きあがった一部分が記録部に接触したり、ガイド部材と接触したりすることにより、画像が乱れたり、紙詰まりが生じるおそれがある。
【０００４】
前述された問題を解決するために、特許文献１には、プラテン（支持部材）上を移動するシート（記録シート材）が、シートの搬送方向と直交する幅方向に沿って波打った状態とされる構成が開示されている。具体的には、プラテンの搬送面に、シートの搬送方向に平行な複数のリブが設けられるとともに、隣り合うリブ間の凹部内にシート材をそれぞれ押し込む複数の突起を有する記録用シート材押え板が設けられている。プラテンのリブと記録用シート材押さえ板とが幅方向において交互にシートと当接することにより、シートが幅方向に沿って波打った状態となる。
【先行技術文献】
【特許文献】
【０００５】
【特許文献１】特開２０００−７１５３２号公報
【発明の概要】
【発明が解決しようとする課題】
【０００６】
特許文献１の構成では、記録用シート材押え板における複数の突起が一体的に形成されている。しかし、インクジェット記録装置において画像記録のために搬送されるシートの幅は様々であるので、例えば、幅方向の中央を基準としてＡ３サイズのシートが搬送可能なインクジェット記録装置においてＡ５サイズのシートが搬送されると、幅方向の中央の突起はＡ５サイズのシートと当接するが、幅方向の両側の突起はＡ５サイズのシートと当接しない状態が生ずる。このとき、Ａ５サイズのシートと当接する突起がシートからの反力によって弾性変形すると、突起同士の連結部分を介して、その突起と隣り合う突起であってＡ５サイズのシートとは当接しない突起にも若干変形が生ずる。このような、シートとは当接しない突起を変形させるための力までもがシートに付与されることによって、シートを所望の波打ち状態とするためには必要でない力がシートに加わり、シートが理想的な波打ち状態とならないおそれがあった。他方、各突起をすべて独立して成型すると、各突起を組み付けるための作業が繁雑となったり、各突起の形状が不安定になりやすいという不具合がある。
【０００７】
本発明は、前述された事情に鑑みてなされたものであり、その目的は、画像が記録されるシートを、複数の当接部を有する当接部材によって所望の波打ち状態とすることができる画像記録装置を提供することにある。
【課題を解決するための手段】
【０００８】
(1)  本発明に係る画像記録装置は、搬送路を搬送されるシートに画像を記録する記録部と、上記搬送路を搬送されるシートにそれぞれが当接するように、上記シートの搬送向きと直交する幅方向に間隔を空けて配置された複数の当接部、及び隣り合う上記当接部同士を連結する連結部を有する当接部材と、を備え、上記連結部は、上記当接部が上記シートに当接することによって上記幅方向を軸線として回転するように捻れる。
【０００９】
このような構成により、連結部の両側の当接部のいずれか一方だけがシートに当接した場合に、連結部の捻れによって、他方の当接部が変形することが抑制される。
【００１０】
(2)  好ましくは、上記連結部と上記支持部材とが間隙を有している。これにより、連結部が捻れた場合に、連結部が支持部材に接触して、当該連結部の捻れが妨げられることを防止できる。
【００１１】
(3)  好ましくは、上記連結部は、上記搬送向きに沿った長さが、上記係合部の上記搬送向きに沿った長さよりも短い部分を有する。これにより、当接部がシートに当接した場合に連結部が容易に捻れた状態になる。
【００１２】
(4)  好ましくは、上記連結部は、隣り合う上記当接部の間に位置する孔を有する。これにより、当接部がシートに当接することによって、連結部が容易に捻れた状態になる。
【００１３】
(5)  好ましくは、上記連結部は、上記搬送向きに間隔をあけて設けられ、上記幅方向に延びる複数の繋ぎ部を有し、上記孔は、上記繋ぎ部によって区画されており、上記幅方向に沿って延びる長孔である。これによっても、当接部がシートに当接することにより連結部が容易に捻れた状態なる。
【００１４】
(6)  好ましくは、上記当接部材は、上記搬送路における幅方向の中央部と両側の各側部とにそれぞれ設けられており、上記中央部の当接部材における上記孔の上記幅方向に沿った長さは、両側の各側部の当接部材における上記孔の上記幅方向に沿った長さよりも長い。これにより、連結部は、当接部がシートに当接する位置に適した捻じれ状態になる。
【００１５】
(7)  好ましくは、上記当接部材は、上記幅方向に沿って複数設けられており、いずれか１つの当接部材は、他の当接部材よりも上記当接部の個数が多く、かつ、上記連結部における上記孔の上記幅方向に沿った長さが、他の当接部材における上記孔の上記幅方向に沿った長さよりも長い。これにより、当接部の個数が多い当接部材では、いずれかの当接部がシートに当接した場合に、連結部は確実に捻れた状態になる。
【００１６】
(8)  好ましくは、上記連結部は、平板状に構成されており、幅方向の中央部における搬送向きの長さが他の部分よりも短くなっている。これにより、連結部を捻じれた状態にすることができる。
【００１７】
(9)  好ましくは、上記連結部は、１本の繋ぎ部によって構成されている。これにより、連結部を捻じれた状態にすることができる。
【００１８】
(10)  好ましくは、上記繋ぎ部は、幅方向の中央部が搬送向きまたは反対向きに突出するように屈曲されている。これにより、連結部を捻じれた状態にすることができる。
【００１９】
(11)  好ましくは、上記繋ぎ部は、幅方向に沿って延びている。これにより、連結部を捻じれた状態にすることができる。
【００２０】
(12)  好ましくは、上記連結部は、平板状に構成された繋ぎ部を有し、当該繋ぎ部における幅方向の中央部の厚さが他の部分よりも薄くなっている。これにより、連結部を捻じれた状態にすることができる。
【００２１】
(13)  好ましくは、上記支持部材は、上記記録部を上記幅方向に移動可能に支持するものである。これにより、当接部材を配置するためのスペースが小さくなる。
【００２２】
(14)  好ましくは、上記当接部材は、合成樹脂により一体に成形されたものである。これにより、当接部材の製造が容易になる。
【００２３】
(15)  好ましくは、上記記録部は、ノズルからインク滴を吐出することによってシートに画像を記録するものである。これにより、インク滴によって形成される画像の画質を向上させることができる。
【００２４】
(16)  好ましくは、上記複数の当接部は、上記ノズルよりも上記搬送向きの上流側に位置している。これにより、インク滴によって画像が形成されるシートのコックリングを防止することができる。
【発明の効果】
【００２５】
本発明によれば、複数の当接部をシートに当接させてシートを所望の湾曲状態とすることができる。
【図面の簡単な説明】
【００２６】
【図１】図１は、本発明の実施形態の一例である複合機１０の斜視図である。
【図２】図２は、プリンタ部１１の構成を説明するための模式図である。
【図３】図３は、プリンタ部１１における記録部２４、第１ガイドレール５６、第２ガイドレール５７の周辺を示す斜視図である。
【図４】図４は、第１ガイドレール５６、コルゲート部８０、プラテン４２の周辺の斜視図である。
【図５】図５は、第１ガイドレール５６、コルゲート部８０、付勢部材９０を分解して示す斜視図である。
【図６】図６（Ａ）及び（Ｂ）は、それぞれ、第１ガイドレール５６及びコルゲート部８０の横断面図である。
【図７】図７（Ａ）は付勢部材９０の上側からの斜視図、図７（Ｂ）は付勢部材９０の下側からの斜視図である。
【図８】図８（Ａ）〜（Ｄ）のそれぞれは、本発明の変形例における第２当接部材８０Ｂの斜視図である。
【発明を実施するための形態】
【００２７】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、複合機１０の正面側を前側として前後方向８が定義され、複合機１０を正面側（手前側）から見て左右方向９が定義される。
【００２８】
［複合機１０の全体構成］
図１に示される複合機１０（本発明の画像記録装置の一例）は、ファクシミリ機能、プリント機能等の各種の機能を有している。複合機１０は、概ね薄型の直方体形状に構成された筐体１４と、筐体１４内の下部内に装着された給送トレイ２０とを有している。給送トレイ２０は、筐体１４から前向きに引き出し可能になっている。
【００２９】
筐体１４の内部には、装着された給送トレイ２０の前側部分の上側に、記録用紙１２がプリントアウトされる排出用空間１３が設けられている。排出用空間１３は前側に開口している。排出用空間１３の下側には、プリントアウトされる記録用紙１２（図２参照）が載置される排出トレイ２１が設けられている。排出トレイ２１は、給送トレイ２０上に支持されている。
【００３０】
図２に示されるように、筐体１４内における後側の上部にはプリンタ部１１が設けられている。プリンタ部１１は、インクジェット方式で記録用紙１２等の被記録媒体に画像を記録する。給送トレイ２０には、複数枚の記録用紙１２が上下方向７に積み重ねられる支持面２２が設けられている。複合機１０は、給送トレイ２０の支持面２２上に積み重ねられた記録用紙１２の片面に画像を記録する機能及び記録用紙１２の両面に画像を記録する機能を有している。また、複合機１０は、ＣＤ−ＲＯＭ、ＤＶＤ−ＲＯＭなどの記録メディアの盤面上に画像を記録する機能も有している。
【００３１】
プリンタ部１１の下側には、給送トレイ２０内の記録用紙１２をプリンタ部１１に給送する給送部１６が設けられている。給送部１６は、給送トレイ２０内の最上部の記録用紙１２に当接して後側上方に向けて繰り出す給送ローラ２５を有している。給送ローラ２５は、支持アーム２６によって、給送トレイ２０内の最上部の記録用紙１２に当接する位置と、記録用紙１２から上側に離間した位置とに回動可能に支持されている。給送ローラ２５には、動力伝達機構２７によって図示しないモータの動力が伝達される。
【００３２】
筐体１４における後部には、給送部１６によって給送トレイ２０から繰り出される記録用紙１２を上方に向けて搬送する第１搬送経路３３が設けられている。第１搬送経路３３は、後側に位置する外周ガイド部材３３Ａと、前側に位置する内周ガイド部材３３Ｂとによって、後側に突出した円弧状に構成されている。第１搬送経路３３内を搬送される記録用紙１２は、第１搬送経路３３の幅方向の中心が、記録用紙１２における搬送向きとは直交する幅方向の中心にほぼ一致した中央基準で搬送される。
【００３３】
給送トレイ２０から繰り出される記録用紙１２は、第１搬送経路３３の下端部から第１搬送経路３３内に進入し、第１搬送経路３３の上端部から前向きに排出される。プリンタ部１１の上部には、第１搬送経路３３を搬送された記録用紙１２が前向きに搬送される第２搬送経路３４が前後方向８に沿って設けられている。第２搬送経路３４は、第１搬送経路３３の上端部から、排出トレイ２１の後端部の上側にまで達している。
【００３４】
第２搬送経路３４には、前後方向８の前向きに、第１搬送ローラ対５９と、プラテン４２と、第２搬送ローラ対４４と、経路切換部３６と、反転ローラ対４５とが順番に設けられており、それぞれが第２搬送経路３４の一部を形成している。記録用紙１２は、第２搬送経路３４においても、中央基準で搬送される。
【００３５】
第１搬送ローラ対５９は、上側に配置された第１搬送ローラ６０と、下側に配置されたピンチローラ６１とを備えている。第１搬送ローラ対５９は、第２搬送経路３４を記録用紙１２が搬送される場合には、第１搬送ローラ６０とピンチローラ６１とが相互に圧接された状態とされて、第１搬送ローラ６０が回転駆動される。
【００３６】
第１搬送ローラ対５９と第２搬送ローラ対４４との間に配置されたプラテン４２は、第２搬送経路３４を搬送される記録用紙１２を前後方向８に沿った状態で支持する。プラテン４２の上側には、プラテン４２にて支持された記録用紙１２に画像を記録する記録部２４が設けられている。記録部２４は、中央基準で搬送されたプラテン４２上の記録用紙１２に対して、幅方向の中央位置を基準として画像を形成する。
【００３７】
記録部２４は、プラテン４２の上側において前後方向８に所定の間隔をあけた状態でそれぞれが左右方向９に沿って配置された第１ガイドレール５６及び第２ガイドレール５７によって支持されている。記録部２４は、第１ガイドレール５６及び第２ガイドレール５７にスライド可能に支持されたキャリッジ４０と、キャリッジ４０の下部に配置された記録ヘッド３８とを有している。記録ヘッド３８には、複数の吐出口から下方に向かってインクを吐出するノズル３９が設けられている。ノズル３９には、インクカートリッジ（不図示）からインクが供給される。
【００３８】
プラテン４２の前側に配置された第２搬送ローラ対４４は、下側の第２搬送ローラ６２と、上側の対向ローラ（従動ローラ）６３とを備えている。第２搬送ローラ対４４は、記録用紙１２が搬送される場合には、第２搬送ローラ６２が対向ローラ６３に圧接されて回転駆動される。
【００３９】
経路切換部３６は、第２搬送ローラ対４４によって搬送される記録用紙１２が当接すると、当該記録用紙１２が経路切換部３６の上方を通過する状態になる。また、後述されるように、経路切換部３６にて反転ローラ対４５へ案内された記録用紙１２が搬送向きを反転されて後向きに搬送されると、経路切換部３６に当該記録用紙１２が当接することによって、当該記録用紙１２は経路切換部３６の下側へ案内される。
【００４０】
反転ローラ対４５は、下側に配置された反転ローラ６７と、上側に配置された反転対向ローラ（従動ローラ）６８とを備えている。反転ローラ６７は、正逆回転可能である。反転対向ローラ６８は、反転ローラ６７に圧接した状態では、反転ローラ６７の回転に追従して回転する。
【００４１】
反転ローラ６７が回転する向きは、記録用紙１２が前向きに搬送される場合を正転と称し、記録用紙１２が後向きに搬送される場合を逆転と称する。記録用紙１２の片面にのみ画像が記録される場合には、反転ローラ６７が正転され、反転ローラ対４５により搬送される記録用紙１２が排出トレイ２１上に排出される。
【００４２】
記録用紙１２の両面に画像が記録される場合には、反転ローラ６７が正転されて、片面に画像が記録された記録用紙１２の後端部が反転ローラ対４５を通過する直前まで搬送された後に、反転ローラ６７が逆転される。これにより、記録用紙１２は、経路切換部３６に向かって後向きに搬送されて、経路切換部３６の下側へ案内される。経路切換部３６の下方には、反転ローラ対４５から第１搬送経路３３の下端部に達する分岐搬送ガイド７１が設けられており、分岐搬送ガイド７１によって第３搬送経路７３が形成されている。分岐搬送ガイド７１に沿って搬送される記録用紙１２は、中間搬送ローラ対７２によって第１搬送経路３３の下端部へ搬送される。
【００４３】
［プリンタ部１１］
図３に示されるように、プリンタ部１１は、筐体１４の後部における左右の両側に設けられた左側面フレーム４７及び右側面フレーム４８によって支持されている。左側面フレーム４７及び右側面フレーム４８は、それぞれ前後方向８及び上下方向７に沿って広がっている。
【００４４】
左側面フレーム４７及び右側面フレーム４８には、第１ガイドレール５６及び第２ガイドレール５７がそれぞれ架設状態で支持されている。第１ガイドレール５６及び第２ガイドフレーム５７には、記録部２４におけるキャリッジ４０の前側部分及び後側部分のそれぞれがスライド可能に支持されている。キャリッジ４０は、第１ガイドレール５６の上面における前側部分を摺動する。
【００４５】
左側面フレーム４７及び右側面フレーム４８には、第２ガイドレール５７の前側において、左右方向９に沿って長くなった帯板状のローラ支持フレーム６５が支持されている。ローラ支持フレーム６５の下側には、反転ローラ対４５における上側の反転対向ローラ６８（図２参照）が取り付けられている。
【００４６】
図５に示されるように、第１ガイドレール５６の下側には、搬送される記録用紙１２を左右方向９に沿って波打った状態に湾曲させるコルゲート部８０が設けられている。コルゲート部８０は、左右方向９の中央部に設けられた第１当接部材８０Ａと、第１当接部材８０Ａの左右の両側にそれぞれ設けられた第２当接部材８０Ｂと、を有している。第１ガイドレール５６の下側には、第１当接部材８０Ａ及び第２当接部材８０Ｂのそれぞれを第１ガイドレール５６に押し付ける付勢部材９０が設けられている。コルゲート部８０及び付勢部材９０の構成については後述する。
【００４７】
図４に示されるように、左側面フレーム４７及び右側面フレーム４８には、第１搬送ローラ対５９における上側の第１搬送ローラ６０のローラ軸６０Ａ（図２参照）を回転可能に支持する切り欠き部４７Ａ及び４８Ａがそれぞれ設けられている。第１搬送ローラ６０のローラ軸６０Ａが切り欠き部４７Ａ及び４８Ａに回転可能に支持されることにより、第１搬送ローラ６０は図３に示された状態になる。
【００４８】
図４に示されるように、左側面フレーム４７及び右側面フレーム４８には、第２搬送ローラ対４４の下側の第２搬送ローラ６２のローラ軸６２Ａの両側の端部がそれぞれ支持されている。第２搬送ローラ６２のローラ軸６２Ａは、左側面フレーム４７及び右側面フレーム４８に設けられた支持孔部（図示せず）に、上下方向７に移動可能な状態で回転可能に支持されている。第２搬送ローラ対４４における上側の対向ローラ６３（図２参照）は、第２ガイドレール５７（図３参照）の下側に取り付けられている。
【００４９】
図４に示されるように、左側面フレーム４７及び右側面フレーム４８には、反転ローラ対４５における下側の反転ローラ６７のローラ軸６７Ａの両側の各端部を支持する支持孔部４７Ｄ及び４８Ｄがそれぞれ設けられている。反転ローラ６７のローラ軸６７Ａは、支持孔部４７Ｄ及び４８Ｄに、上下方向７に移動可能な状態で回転可能に支持されている。第１搬送ローラ対５９と第２搬送ローラ対４４との間に設けられたプラテン４２は、第２搬送ローラ６２のローラ軸６２Ａに支持されている。
【００５０】
＜プラテン４２＞
図４に示されるように、プラテン４２は、左右方向９に沿って長くなった帯板状になっており、前側の側縁部が第２搬送ローラ６２のローラ軸６２Ａに回動可能に支持されている。プラテン４２における後部上面には、コルゲート部８０における各当接部８１Ａがそれぞれ当接する当接領域４２Ｆが設けられている。各当接領域４２Ｆは、平板状の当接部８１Ａにおける下面の全体が当接できる平坦面になっている。また、プラテン４２の上面には、前後方向８に沿って上方に突出する複数のリブ（突出部）４２Ｅが左右方向９に適当な間隔を空けて設けられている。各リブ４２Ｅは、当接領域４２Ｆ以外の領域において、プラテン４２の後側の側縁から前後方向８の中程までにわたって設けられている。
【００５１】
＜コルゲート部８０＞
図５に示されるように、第１当接部材８０Ａは、第１ガイドレール（支持部材）５６における左右方向９の中央部に取り付けられており、左右の各第２当接部材８０Ｂは、第１当接部材８０Ａに対して左右の両側に所定の間隔を空けた状態で第１ガイドレール５６に取り付けられている。第１当接部材８０Ａと、それぞれの第２当接部材８０Ｂとの間隔は等しくなっている。
【００５２】
第１当接部材８０Ａは、左右方向９に間隔を空けて配置された３個の当接本体８１と、隣り合う当接本体８１同士を連結する第１連結部８２とを備えている。
【００５３】
各当接本体８１は、第１ガイドレール５６の下面に対向するベース部８１Ｂと、ベース部８１Ｂの前端部（記録用紙１２の搬送向きの下流側端部）に設けられた接続部８１Ｋと、接続部８１Ｋの前端部から前方且つ下方に湾曲状態で突出した湾曲部８１Ｃと、湾曲部８１Ｃの下端部（先端部）に設けられた当接部８１Ａとを有している。
【００５４】
ベース部８１Ｂは、平面視で長方形状の平板状をしており、それぞれの後端部には、第１ガイドレール５６に係合する一対の係合部８１Ｄが設けられている。各係合部８１Ｄは、ベース部８１Ｂの左右の両側から上方に向かって突出した支柱部８１Ｅと、支柱部８１Ｅの先端部において後方に向かって延びる係止部８１Ｆとを有している。支柱部８１Ｅは、前後方向８（記録用紙１２の搬送向き）および左右方向９に沿った長さがそれぞれ一定になった断面長方形状になっている。
【００５５】
第１ガイドレール５６には、各ベース部８１Ｂの係合部８１Ｄが挿入される開口５６Ａが設けられている。各開口５６Ａは、第１ガイドレール５６における後部、すなわち、第１ガイドレール５６におけるキャリッジ４０の摺動位置よりも後側に設けられている。開口５６Ａは、ベース部８１Ｂにおける係止部８１Ｆが貫通する大きさの貫通部５６Ｂと、貫通部５６Ｂの前側部分から右側方向に延びるスライド部５６Ｃとを有している。スライド部５６Ｃにおける前後方向８に沿った長さは、支柱部８１Ｅが貫通可能であって、係止部８１Ｆが貫通しないようになっている。
【００５６】
当接本体８１におけるベース部８１Ｂの各係合部８１Ｄは、第１ガイドレール５６の開口５６Ａにおける貫通部５６Ｂ内に係止部８１Ｆがそれぞれ下方から挿入されて、第１ガイドレール５６の上側に位置される。このような状態で、支柱部８１Ｅが開口５６Ａのスライド部５６Ｃに沿って右側方向にスライドされて、係合部８１Ｄの係止部８１Ｆがスライド部５６Ｃの右側端部の上側に位置される。このような状態になると、係止部８１Ｆは第１ガイドレール５６の上面に係止して開口５６Ａから抜け止めされる。
【００５７】
左右方向９の中央に位置する当接本体８１のベース部８１Ｂには、左右方向９の中央部に、前後方向８に沿った帯板状の板バネ部８１Ｇが設けられている。板バネ部８１Ｇは、ベース部８１Ｂに切り込みを形成することによってベース部８１Ｂの一部に形成された帯板状部分によって構成されている。ベース部８１Ｂにおける前側の先端部には、上方に突出したボス部８１Ｈが設けられている。ボス部８１Ｈは、図４に示されるように、ベース部８１Ｂの各係合部８１Ｄが第１ガイドレール５６に係合した状態では、第１ガイドレール５６に設けられた開口５６Ｅに嵌合する。他の２つの当接本体８１のベース部８１Ｂには、このような板バネ部は設けられていない。
【００５８】
図５に示されるように、ベース部８１Ｂと湾曲部８１Ｃとの間に設けられた接続部８１Ｋは、ベース部８１Ｂの前面における左右方向９に一定の間隔あけた位置から前方に突出する３つの接続本体８１Ｍと、全ての接続本体８１Ｍの前端部において上下方向７に沿って支持された平板状の取付部８１Ｎとを有している（第２当接部材８０Ｂの変形例である図８（Ａ）〜（Ｄ）参照）。接続本体８１Ｍにおける後部には、第１ガイドレール５６の下面に当接するように上方に突出した突部８１Ｐ（図６（Ｂ）、図８（Ａ）〜（Ｄ）参照）が設けられている。取付部８１Ｎは、上下方向７及び左右方向９に沿った状態で、上下方向７の中程が、各接続本体８１Ｍの先端に支持されている。取付部８１Ｎにおける各接続本体８１Ｍよりも上側の部分は、第１ガイドレール５６における前側の側縁に沿った状態になっている。
【００５９】
湾曲部８１Ｃは、接続部８１Ｋの取付部８１Ｎにおける前面の下部に上端部が取り付けられている。湾曲部８１Ｃは、左右方向９に沿った長さがほぼ一定であって、第１搬送ローラ対５９の前側の外周部分に沿った形状になっている。湾曲部８１Ｃは、上下方向７及び前後方向８に移動し得る可撓性を有している。
【００６０】
当接部８１Ａは、湾曲部８１Ｃの下端部から前方に向かって突出しており、平面視で、前側になるにつれて左右方向９に沿った長さが順次短くなった三角形状になっている。当接部８１Ａは、記録部２４におけるノズル３９よりも記録用紙１２の搬送向き上流側に位置しており、記録用紙１２が搬送されない状態では、プラテン４２における後部上面の当接領域４２Ｆに当接している。当接部８１Ａは、記録用紙１２が搬送されると、当該記録用紙１２に当接する。
【００６１】
平板状の当接部８１Ａは、当接本体８１における記録用紙１２の搬送向きの下流側の先端部が、搬送される記録用紙１２にほぼ平行な状態になっている。なお、当接部８１Ａはこのような構成に限らず、記録用紙１２の搬送向きに沿って上向き傾斜（搬送向きの下流側になるにつれて上側に位置するように傾斜）した状態になっていてもよい。
【００６２】
第１連結部８２は、隣接する当接本体８１のベース部８１Ｂ同士を連結する一対の繋ぎ部８２Ａを有している。一対の繋ぎ部８２Ａは、それぞれが左右方向９に沿って延びており、前後方向８に沿った長さ（幅）が一定になった線材で構成されている。一対の第１連結部８２の間には、前後方向８に沿った長さが一定の孔８２Ｂが形成されている。この孔８２Ｂは、一対の繋ぎ部８２Ａ及び隣り合うベース部８１Ｂによって区画された長孔になっている。ベース部８１Ｂが第１ガイドレール５６に取り付けられた状態では、繋ぎ部８２Ａの上面は、第１ガイドレール５６の下面とは上下方向７に沿った間隙を有している。繋ぎ部８２Ａの前後方向８の長さは、ベース部８１Ｂに設けられた係合部８１Ｄにおける支柱部８１Ｅの前後方向８の長さよりも短くなっている。
【００６３】
このような構成の第１連結部８２は、ベース部８１Ｂよりも左右方向９に沿った軸線を中心として周方向に捻れやすい。例えば、いずれか１つのベース部８１Ｂに、第１連結部８２における前後方向８の中央位置を通る左右方向９に沿った軸線６を中心とした回転力が加わった場合に、第１連結部８２はその回転力により軸線６を中心として容易に捻れ、隣りに位置する他のベース部８１Ｂに、軸線６を中心とした回転力の伝達が抑制される。
【００６４】
第１当接部材８０Ａは、合成樹脂（例えばポリアセタール（ＰＯＭ））によって、３個の当接本体８１及び２個の第１連結部８２が一体として成形されている。
【００６５】
図５に示されるように、第２当接部材８０Ｂは、２個の当接本体８１と、当接本体８１同士を連結する第２連結部８３とを有している。第２当接部材８０Ｂにおいて左側に位置する当接本体８１は、第１当接部材８０Ａにおける中央部に位置する当接本体８１とほぼ同様の構成になっているが、ベース部８１Ｂに設けられた板バネ部８１Ｇの形状のみが異なっている。すなわち、第２当接部材８０Ｂにおける板バネ部８１Ｇは、前側の端部が右側方向に延びており、その先端部にボス部８１Ｈが設けられている。第２当接部材８０Ｂにおいて右側に位置する当接本体８１は、第１当接部材８０Ａにおける左右の両側に位置する当接本体８１と同様の構成になっている。
【００６６】
第２当接部材８０Ｂにおける２個の当接本体８１の左右方向９に沿った間隔は、第１当接部材８０Ａにおける相互に隣り合う２個の当接本体８１の左右方向９に沿った間隔よりも短くなっている。第２当接部材８０Ｂの第２連結部８３は、一対の繋ぎ部８３Ａを有しているが、それぞれの繋ぎ部８３Ａの長さが、第１当接部材８０Ａの第１連結部８２における繋ぎ部８２Ａよりも短くなっていること以外は、第１当接部材８０Ａの第１連結部８２と同様の構成になっている。従って、第２当接部材８０Ｂの第２連結部８３にも、一対の繋ぎ部８３Ａ及び一対のベース部８１Ｂによって区画された孔８３Ｂが設けられており、この孔８３Ｂの左右方向９に沿った長さは、第１当接部材８０Ａの第１連結部８２における孔８２Ｂよりも短くなっている。
【００６７】
このような構成の第２連結部８３も、両側のベース部８１Ｂよりも、左右方向９に沿った軸線６を中心として捻れやすい。例えば、いずれか一方のベース部８１Ｂに、第２連結部８３に軸線６を中心とした回転力が加わった場合に、第２連結部８３が、その回転力により軸線６を中心として容易に捻れ、軸線６を中心とした回転力が他方のベース部８１Ｂに伝達されることが抑制される。
【００６８】
第２当接部材８０Ｂも、合成樹脂（例えばポリアセタール（ＰＯＭ））により、２個の当接本体８１及び１個の第２連結部８３が一体として成形されている。なお、第１当接部材８０Ａ及び第２当接部材８０Ｂのそれぞれは、一体成型された構成に限らず、複数の部材が嵌合等によって組み合わせられた構成であってもよい。
【００６９】
＜付勢部材＞
図５に示されるように、第１当接部材８０Ａ及び第２当接部材８０Ｂは、ガイドレール５６に支持された状態において、付勢部材９０によって下方から押圧されている。付勢部材９０は、左右方向９に沿って長くなった前側壁９１及び後側壁９２を有する概ね箱形状に構成されており、上側が開放された状態になっている。
【００７０】
図７（Ａ）に示されるように、前側壁９１の上側縁部には、複数の付勢部９１Ａが左右方向９に間隔をあけて設けられている。各付勢部９１Ａは、第１当接部材８０Ａ及び第２当接部材８０Ｂにおける各当接本体８１のベース部８１Ｂの下側にそれぞれ位置しており、それぞれが、左右方向９に沿って延びる板バネ形状に形成されている。各付勢部９１Ａにおける長手方向の一方の端部は、前側壁９１と一体となっており、従って、付勢部９１Ａにおける長手方向の他方の端部（先端部）の外側および付勢部９１Ａの下側には空間９１Ｃが形成されている。このような構成により、それぞれの付勢部９１Ａは、先端部が上下方向７に変位可能な可撓性を有している。
【００７１】
各付勢部９１Ａの先端部には上方に向かって突出した押圧部９１Ｂが設けられている。各押圧部９１Ｂは、当接本体８１のベース部８１Ｂの前部における左右方向９の中央部にそれぞれ当接して、ベース部８１Ｂにおける前部を上方に押し上げている。
【００７２】
図７（Ａ）に示されるように、付勢部材９０には、当該付勢部材９０を第１ガイドレール５６に支持するための４つの支持部材９３が設けられている。各支持部材９３は、付勢部材９０の底板９４における前後方向８の中程であって左右方向９に一定の間隔を空けた位置から、上方に向かって突出している。支持部材９３の上端部には、前向きに延びる係合部９３Ａが設けられている。なお、支持部材９３の個数は４個に限らない。
【００７３】
図５に示されるように、第１ガイドレール５６における前後方向８の中程であって、キャリッジ４０の摺動位置の後側には、４個の係合孔５６Ｄが左右方向９に沿って形成されている。各係合孔５６Ｄは、各支持部材９３のそれぞれに対応した位置に設けられている。係合孔５６Ｄの左側部分は、支持部材９３の上端部に設けられた係合部９３Ａが貫通し得る大きさになっており、係合孔５６Ｄの右側部分は、係合部９３Ａは貫通できないが、係合部９３Ａの下側部分が貫通できる大きさに形成されている。従って、支持部材９３の係合部９３Ａを、係合孔５６Ｄの左側部分に挿入して第１ガイドレール５６の上側に位置された後に右側方向にスライドさせることによって、係合部９３Ａは、第１ガイドレール５６の上面に係合させることができる。全ての支持部材９３の係合部９３Ａが第１ガイドレール５６の上面に係合されることにより、付勢部材９０は第１ガイドレール５６に支持される。
【００７４】
付勢部材９０が第１ガイドレールに支持された状態になると、前側壁９１に設けられた各付勢部９１Ａの押圧部９１Ｂが、当接本体８１におけるベース部８１Ｂの前部に圧接される。これにより、当接本体８１における接続部８１Ｋの突部８１Ｐが第１ガイドレール５６の下面に押し付けられる。当接本体８１は、ベース部８１Ｂの後部に設けられた係合部８１Ｄが第１ガイドレール５６に係合されているために、ベース部８１Ｂの前側に位置する接続部８１Ｋの突部８１Ｐが第１ガイドレール５６の下面に押し付けられることにより、湾曲部８１Ｃは、下端部の当接部８１Ａが上方に持ち上げられるように撓む。その結果、当接部８１Ａの先端部が上方に変位し、当接部８１Ａは搬送される記録用紙１２にほぼ平行な状態、或いは、搬送向きに沿って上向き傾斜した状態とされる。
【００７５】
図７（Ｂ）に示されるように、付勢部材９０における後側壁９２の下部には、後方に向かって突出する複数の第１ガイド部材９５が前後方向８に沿って設けられている。各第１ガイド部材９５は、左右方向９に間隔をあけた状態で配置されている。第１ガイド部材９５における後側の側縁部は、後側になるにつれて上側に位置するように傾斜しており、後端部が、後側壁９２における上下方向７の中程の高さになっている。第１ガイド部材９５は、第１搬送経路３３から搬送される記録用紙１２を、付勢部材９０における底板９４の下方に案内する。
【００７６】
底板９４の下面には、第１ガイド部材９５にて案内される記録用紙１２を第１搬送ローラ対５９へ案内する第２ガイド部材９６が設けられている。付勢部材９０は、樹脂によって一体に成型されており、従って、後側壁９２及び第１ガイド部材９５、底板９４及び第２ガイド部材９６は一体に形成されている。
【００７７】
＜コルゲート部８０及び付勢部材９０の作用＞
給送トレイ２０の記録用紙１２は、第１搬送経路３３から第１搬送ローラ対５９へ中央基準で搬送されると、付勢部材９０の第１ガイド部材９５及び第２ガイド部材９６に案内されてプラテン４２上に搬送される。このとき、第１搬送ローラ対５９によって搬送される記録用紙１２が、第１当接部材８０Ａにおける各当接本体８１の当接部８１Ａに当接すると、当接部８１Ａが当接した記録用紙１２は、プラテン本体４２Ａにおける当接領域４２Ｆに押し付けられる。各当接領域４２Ｆの左右の両側には、前後方向８に沿ったリブ４２Ｅがそれぞれ設けられているために、記録用紙１２における当接部８１Ａが当接した部分は、リブ４２Ｅにおける記録用紙１２の当接部分よりも、記録部２４から離れた下側になる。これにより、当接部８１Ａによって当接領域４２Ｆに押し付けられた記録用紙１２の部分は、下側に突出するように湾曲する。
【００７８】
この場合、第１当接部材８０Ａにおける各当接本体８１の各当接部８１Ａには、記録用紙１２からの反力が加わる。この反力により、当接部８１Ａは上方へ移動し、湾曲部８１Ｃが上方に変位した状態になる。これにより、ベース部８１Ｂも、前側の端部が上方に変位する。このとき、隣り合う当接本体８１同士を連結する第１連結部８２は、両者の間に孔８２Ｂが形成された一対の繋ぎ部８２Ａによって連結されているために、いずれか一方または両方の当接本体８１において変形が生じても、軸線６を中心として回転するように捻れることになる。これにより、第１連結体８２の両側の当接本体８１のいずれか一方の変位により、他方の当接本体８１が変位することが抑制される。従って、一方の当接本体８１の変位によって、他方の当接本体８１の当接部８１Ａにおける記録用紙１２に対する押圧力が変化することが抑制される。
【００７９】
第２当接部材８０Ｂにおいても同様であり、当接部８１Ａが記録用紙１２に当接すると、記録用紙１２における当接部８１Ａの当接部分が、プラテン４２における当接領域４２Ｆに押し付けられて湾曲した状態になる。この場合にも、第２連結部８３の両側のいずれか一方の当接本体８１が変位しても、他方の当接本体８１が変位することが、第２連結部８３によって抑制される。
【００８０】
このように、プラテン４２における当接領域４２Ｆと、当接領域４２Ｆにおける左右の両側の各リブ４２Ｅと、当該当接領域４２Ｆに対向する当接部８１Ａとの協働により、記録用紙１２は湾曲状態とされる。その結果、記録用紙１２は、左右方向９に沿って波打った状態とされる。その後、記録用紙１２の波打った部分がプラテン４２の所定位置において停止されて、記録部２４により画像が記録される。この場合、記録用紙１２が波打った状態になっていることにより、インク滴によって画像が形成される記録用紙１２のコックリングの発生を抑制することができる。
【００８１】
［実施形態の効果］
本実施形態によれば、第１当接部材８０Ａ及び第２当接部材８０Ｂにおけるそれぞれの当接本体８１の当接部８１Ａが記録用紙１２に当接した場合に、当接本体８１の変位が第１連結部８２及び第２連結部８３のそれぞれによって吸収されるために、その変位した当接部８１Ａに隣接する当接本体８１が変位するおそれがない。これにより、各当接本体８１の当接部８１Ａによって記録用紙１２に所望の圧力を加えることができ、記録用紙１２を左右方向９に沿って所望の波打ち状態とすることができる。
【００８２】
第１当接部材８０Ａ及び第２当接部材８０Ｂは、各当接本体８１のベース部８１Ｂに設けられた係合部８１Ｄが第１ガイドレール５６に係合しており、第１連結部８２及び第２連結部８３のそれぞれが、隣接するベース部８１Ｂ同士を連結している。これにより、第１当接部材８０Ａ及び第２当接部材８０Ｂを、第１ガイドレール５６における所定の位置に容易に取り付けることができる。
【００８３】
第１連結部８２及び第２連結部８３のそれぞれは、第１ガイドレール５６とは上下方向７において間隙を有していることにより、第１連結部８２及び第２連結部８３のそれぞれが捻れた場合に、第１連結部８２及び第２連結部８３のそれぞれが、第１ガイドレール５６に接触して捻れが妨げられるおそれがない。
【００８４】
第１連結部８２及び第２連結部８３のそれぞれは、前後方向８に沿った長さが係合部８１Ｄの前後方向８に沿った長さよりも短い部分を有している。これにより、第１連結部８２及び第２連結部８３のそれぞれの両側の当接部８１Ａのいずれかが記録用紙１２に当接した場合に、第１連結部８２及び第２連結部８３のそれぞれが容易に捻れた状態になる。
【００８５】
また、第１連結部８２及び第２連結部８３のそれぞれが孔８２Ｂ及び８３Ｂを有していることにより、それぞれがより容易に捻じれた状態になる。第１連結部８２及び第２連結部８３のそれぞれの孔８２Ｂ及び８３Ｂが、繋ぎ部８２Ａ及び８３Ａによった区画された長孔であると、第１連結部８２及び第２連結部８３のそれぞれが、より一層容易に捻じれた状態になる。
【００８６】
第１連結部８２の孔８２Ｂの左右方向９に沿った長さが、第２連結部８３の孔８３Ｂより長くなっているために、第１連結部８２及び第２連結部８３のそれぞれは、当接部８１Ａが記録用紙１２に当接する位置に適した捻じれ状態になる。
【００８７】
第１ガイドフレーム５６は、記録部２４を左右方向９に移動可能に支持しているために、第１当接部材８０Ａ及び第２当接部材８０Ｂを配置するためのスペースが小さくなる。
【００８８】
第１当接部材８０Ａ及び第２当接部材８０Ｂは、合成樹脂により一体に成形されたものである。これにより、第１当接部材８０Ａ及び第２当接部材８０Ｂの製造が容易になる。
【００８９】
記録部２４は、ノズル３９からインク滴を吐出することによって記録用紙１２に画像を記録するものである。これにより、インク滴によって形成される画像の画質を向上させることができる。
【００９０】
当接部８１Ａは、ノズル３９よりも搬送向きの上流側に位置している。これにより、インク滴によって画像が形成されるシートのコックリングを防止することができる。
【００９１】
［変形例１］
図８（Ａ）は、第２当接部材８０Ｂの第２連結部８３における変形例１を示している。この第２連結部８３は、左右両側の当接本体８１におけるベース部８１Ｂから左右方向９の中央部に向かって突出した平板状の連結本体８３Ｄと、第２連結部８３における左右方向９の中央部において、左右の連結本体８３Ｄ同士を接続する接続部８３Ｅとによって構成されている。各連結本体８３Ｄは、同様の形状になっており、各連結本体８３Ｄにおける前後方向８の中央部同士が接続部８３Ｅによって接続されている。接続部８３Ｅの前後方向８の長さは、それぞれの連結本体８３Ｄの前後方向８の長さよりも短くなっている。第２連結部８３は、左右方向９のいずれか一方の端部に、軸線６を中心とした回転力が加わった場合に、その回転力により、軸線６を中心として容易に捻れた状態になる。従って、一方の当接本体８１の変位により、他方の当接本体８１の当接部８１Ａにおける記録用紙１２に対する押圧力が変化することを抑制できる。第１当接部材の第１連結部８２についても同様の構成とすることができる。
【００９２】
［変形例２］
変形例２における第２当接部材８０Ｂの第２連結部８３は、図８（Ｂ）に示されるように、１本の繋ぎ部８３Ｆによって構成されている。繋ぎ部８３Ｆは、一定幅の線材によって構成されており、左右両側の当接本体８１におけるベース部８１Ｂの前後方向８の中央部同士を接続している。繋ぎ部８３Ｆの左右方向９に沿った中心線は軸線６にほぼ一致している。このような構成でも、一方の当接本体８１の変位により、他方の当接本体８１の当接部８１Ａにおける記録用紙１２に対する押圧力が変化することを抑制できる。第１当接部材の第１連結部８２についても同様の構成とすることができる。
【００９３】
［変形例３］
変形例３における第２当接部材８０Ｂの第２連結部８３は、図８（Ｃ）に示されるように、一定幅の１本の線材を屈曲させた形状の繋ぎ部８３Ｇによって構成されている。繋ぎ部８３Ｇは、両側の当接本体８１のベース部８１Ｂにおける前側の部分から、第２連結部８３における左右方向９の中央部に向かって突出しており、第２連結部８３における左右方向９の中央部は、後側に突出するように屈曲した屈曲部８３Ｈになっている。この屈曲部８３Ｈにおける後側部分は、左右方向９に沿った直線部８３Ｊになっており、直線部８３Ｊにおける左右方向９に沿った中心軸が、軸線６にほぼ一致している。このような構成によっても、一方の当接本体８１の変位により、他方の当接本体８１の当接部８１Ａにおける記録用紙１２に対する押圧力が変化することを抑制できる。なお、屈曲部８３Ｈは、前側に突出する構成であってもよい。第１当接部材の第１連結部８２についても同様の構成とすることができる。
【００９４】
［変形例４］
変形例４における第２当接部材８０Ｂの第２連結部８３は、図８（Ｄ）に示されるように、一定幅の帯板状の繋ぎ板８３Ｋによって構成されている。繋ぎ板８３Ｋは、前後方向８の長さが一定になっており、前後方向８の中央部を通る中心線が、軸線６にほぼ一致している。繋ぎ板８３Ｋにおける左右方向９の中央部には、前後方向８に沿った溝部８３Ｍが形成されてる。溝部８３Ｍは、上方に向かって開口している。従って、繋ぎ板８３Ｋにおける左右方向９の中央部における厚さが，他の部分よりも薄くなっている。このような構成でも、一方の当接本体８１の変位により、他方の当接本体８１の当接部８１Ａにおける記録用紙１２に対する押圧力が変化することを抑制できる。第１当接部材の第１連結部８２についても同様の構成とすることができる。
【００９５】
［他の変形例］
第１当接部材８０Ａ及び第２当接部材８０Ｂのそれぞれの当接本体８１の当接部８１Ａは、記録用紙１２を湾曲させる構成に限らず、記録用紙１２の上側から当接して、プラテン４２からの浮き上がりを抑制する構成であればよい。この場合には、プラテン４２にリブ４２Ｅを設けない構成、あるいは、当接部８１Ａを、プラテン４２のリブ４２Ｅの間の当接領域４２Ｆよりも常時上側に位置する構成とされる。
【００９６】
第１当接部材８０Ａ及び第２当接部材８０Ｂは、記録部２４における記録用紙１２の搬送向きの上流側に配置されていたが、記録部２４における記録用紙１２の搬送向きの下流側に配置する構成としてもよい。
【００９７】
また、コルゲート部８０は、第１当接部材８０Ａ及び２つの第２当接部材８０Ｂの３つによって構成されていたが、これらの３つの全てが連結された１つの当接部材によって構成としてもよい。この場合には、当接部８１Ａ、第１連結部８２及び第２連結部８３の全てを一体成形することができる。
【００９８】
さらに、第１搬送経路３３及び第２搬送経路３４は、記録用紙１２を中央基準で搬送し、記録部２４も、中央基準で記録用紙１２に画像を記録する構成であったが、第１搬送経路３３及び第２搬送経路３４のそれぞれにおいて、記録用紙１２における搬送向きとは直交する幅方向のいずれか一方の側縁位置を基準とする片側基準で記録用紙１２を搬送する構成としてもよい。この場合には、記録部２４において、記録用紙１２の幅方向の一方の側縁を基準とした片側基準で画像が形成される。
【符号の説明】
【００９９】
１０・・・・複合機
１２・・・・記録用紙
２４・・・・記録部
３９・・・・ノズル
５６・・・・第１ガイドレール（支持部材）
５６Ａ・・・開口
８０・・・・コルゲート部
８０Ａ・・・第１当接部材
８０Ｂ・・・第２当接部材
８１・・・・当接本体
８１Ａ・・・当接部
８１Ｂ・・・ベース部
８１Ｄ・・・係合部
８１Ｅ・・・支柱部
８１Ｆ・・・係止部
８２・・・・第１連結部
８２Ａ・・・繋ぎ部
８２Ｂ・・・孔
８３・・・・第２連結部
８３Ａ・・・繋ぎ部
８３Ｂ・・・孔
８３Ｄ・・・連結本体
８３Ｅ・・・接続部
８３Ｆ・・・繋ぎ部
８３Ｇ・・・繋ぎ部
８３Ｋ・・・繋ぎ板
９０・・・・付勢部材
【図１】
0006413551.tif 000002
【図２】
0006413551.tif 000003
【図３】
0006413551.tif 000004
【図４】
0006413551.tif 000005
【図５】
0006413551.tif 000006
【図６】
0006413551.tif 000007
【図７】
0006413551.tif 000008
【図８】
0006413551.tif 000009